(57)【要約】【課題】第１の状態及び第２の状態のいずれでも被投射面に投射される光の輝度を適切に調整できる光投射装置を提供する。【解決手段】  プロジェクタ装置１は、載置状態（例えば第１の状態）にされたときの周辺の照度である第１の照度、及び天吊り状態（例えば第２の状態）にされたときの周辺の照度である第２の照度を取得する、照度センサ１８及びＣＰＵ１０を含む照度取得手段と、天吊り状態で用いられるとき、第１及び第２の照度に基づいてスクリーンの表面（被投射面）に投射される光の輝度（ランプパワー）を設定する、ＣＰＵ１０及びメモリ１２を含む輝度設定手段と、を備えている。【選択図】図４
2015028516.tif 000002
【特許請求の範囲】
【請求項１】
第１の状態、及び第１の状態とは上下逆の状態である第２の状態で用いられ、被投射面に光を投射する光投射装置であって、
前記第１の状態にされたときの周辺の照度である第１の照度、及び前記第２の状態にされたときの周辺の照度である第２の照度を取得する照度取得手段と、
前記第１及び第２の状態の一方の状態で用いられるとき、前記第１及び第２の照度に基づいて前記光の輝度を設定する輝度設定手段と、を備える光投射装置。
【請求項２】
前記第１及び第２の照度は、前記被投射面の周辺の明るさが一定の条件下で取得されることを特徴とする請求項１に記載の光投射装置。
【請求項３】
前記輝度設定手段は、前記一方の状態で用いられるとき、前記第１及び第２の状態の他方の状態で用いられるときに使用される前記光の輝度設定値に基づいて前記光の輝度を設定することを特徴とする請求項１又は２に記載の光投射装置。
【請求項４】
前記輝度設定値は、前記被投射面の周辺の明るさに応じた値に設定されていることを特徴とする請求項３に記載の光投射装置。
【請求項５】
前記輝度設定手段は、前記他方の状態での複数の照度範囲と、該複数の照度範囲に個別に対応する複数の前記輝度設定値と、前記第１及び第２の照度の比と前記他方の状態での複数の照度範囲に前記比を乗じて又は除して得られたものとの少なくとも一方と、を含むテーブルを有し、
前記一方の状態で用いられるとき、
前記照度取得手段は、前記一方の状態での前記照度を再び取得し、
前記輝度設定手段は、再び取得された前記一方の状態での前記照度と前記テーブルとに基づいて、前記光の輝度を設定することを特徴とする請求項３又は４に記載の光投射装置。
【請求項６】
第１の状態、及び第１の状態とは上下逆の状態である第２の状態で用いられ、被投射面に光を投射する光投射装置の使用方法であって、
前記第１の状態にされた前記光投射装置の周辺の照度である第１の照度を取得する工程と、
前記第２の状態にされた前記光投射装置の周辺の照度である第２の照度を取得する工程と、
前記光投射装置が前記第１及び第２の状態の一方の状態で用いられるとき、前記第１及び第２の照度に基づいて前記光の輝度を設定する工程と、を含む光投射装置の使用方法。
【請求項７】
前記第１及び第２の照度は、前記被投射面の周辺の明るさが一定の条件下で取得されることを特徴とする請求項６に記載の光投射装置の使用方法。
【請求項８】
前記輝度設定手段は、前記一方の状態で用いられるとき、前記第１及び第２の状態の他方の状態で用いられるときに使用される前記光の輝度設定値に基づいて前記光の輝度を設定することを特徴とする請求項６又は７に記載の光投射装置の使用方法。
【請求項９】
前記輝度設定値は、前記被投射面の周辺の明るさに応じた値に設定されていることを特徴とする請求項８に記載の光投射装置の使用方法。
【請求項１０】
前記輝度設定手段は、前記他方の状態での複数の照度範囲と、該複数の照度範囲に個別に対応する複数の前記輝度設定値と、前記第１及び第２の照度の比と前記他方の状態での複数の照度範囲に前記比を乗じて又は除して得られたものとの少なくとも一方と、を含むテーブルを有し、
前記一方の状態で用いられるとき、
前記照度取得手段は、前記一方の状態での前記照度を再び取得し、
前記輝度設定手段は、再び取得された前記一方の状態での前記照度と前記テーブルとに基づいて、前記光の輝度を設定することを特徴とする請求項８又は９に記載の光投射装置の使用方法。
【発明の詳細な説明】
【技術分野】
【０００１】
本発明は、光投射装置、及び光投射装置の使用方法に係り、更に詳しくは、第１の状態、及び該第１の状態とは上下逆さまの状態である第２の状態で用いられる光投射装置、及び該光投射装置の使用方法に関する。
【背景技術】
【０００２】
従来、第１の状態、及び該第１の状態とは上下逆さまの状態である第２の状態で用いられ、被投射面に光を投射して画像を表示する画像表示装置が知られている（例えば特許文献１参照）。
【０００３】
この画像表示装置では、第１の状態にあるときの装置周辺の照度に応じて被投射面に投影される光の輝度を調整し、第２の状態にあるときの装置周辺の照度に応じて被投射面に投影される光の輝度を調整する。
【発明の概要】
【発明が解決しようとする課題】
【０００４】
しかしながら、特許文献１に記載の画像表示装置では、第１の状態又は第２の状態で被投射面に投射される光の輝度を適切に調整できないおそれがあった。
【課題を解決するための手段】
【０００５】
本発明は、第１の状態、及び第１の状態とは上下逆の状態である第２の状態で用いられ、被投射面に光を投射する光投射装置であって、前記第１の状態にされたときの周辺の照度である第１の照度、及び前記第２の状態にされたときの周辺の照度である第２の照度を取得する照度取得手段と、前記第１及び第２の状態の一方の状態で用いられるとき、前記第１及び第２の照度に基づいて前記光の輝度を設定する輝度設定手段と、を備える光投射装置である。
【発明の効果】
【０００６】
本発明によれば、第１の状態及び第２の状態のいずれでも被投射面に投射される光の輝度を適切に調整できる。
【図面の簡単な説明】
【０００７】
【図１】一実施形態のプロジェクタ装置を示す斜視図である。
【図２】載置状態にあるプロジェクタ装置を説明するための図である。
【図３】天吊り状態にあるプロジェクタ装置を説明するための図である。
【図４】プロジェクタ装置の構成を示すブロック図である。
【図５】プロジェクタ装置のキャリブレーションについて説明するためのフローチャートである。
【図６】プロジェクタ装置の制御を説明するためのフローチャートである。
【図７】変形例のプロジェクタ装置のキャリブレーションについて説明するためのフローチャートである。
【図８】変形例のプロジェクタ装置の制御を説明するためのフローチャートである。
【発明を実施するための形態】
【０００８】
以下、図面を参照して本発明の一実施形態を説明する。図１は、本実施形態に係る光投射装置としてのプロジェクタ装置１を斜めから見て示した外観斜視図である。プロジェクタ装置１は、例えばパソコン、ビデオカメラ、ＤＶＤプレーヤー、ブルーレイプレーヤー、タブレット端末、ＵＳＢメモリ、テレビ会議装置等の画像データ出力機器（不図示）から出力される画像データに基づいて画像を生成し、該画像を被投射面としてのスクリーン５（図２及び図３参照）に投影する。
【０００９】
ここで、プロジェクタ装置１は、載置状態（図２参照）、及び該載置状態とは上下逆の状態である天吊り状態（図３参照）で用いられる。
【００１０】
「載置状態」とは、例えば床等の建物の構造物、テーブル、机、台等の家具などに直接又は間接的に載置された状態（正置状態）を意味する。ここでは、プロジェクタ装置１は、載置状態にあるとき、天板が上側に位置し、底板が下側に位置する。
【００１１】
一方、「天吊り状態」とは、例えば天井等の建物の構造物に、直接又は間接的に（例えば取り付け用の固定具を介して）、載置状態とは上下逆さまの状態で吊り下げられた状態（倒置状態）を意味する。ここでは、プロジェクタ装置１は、天吊り状態にあるとき、天板が下側に位置し、底板が上側に位置する。
【００１２】
プロジェクタ装置１は、一例として図４に示されるように、主制御部としてのＣＰＵ１０、記憶部としてのメモリ１２、ランプ制御部１３、ランプ１４（光源）、画像データ入力部１５、画像処理部１６、投影光学系１７、照度センサ１８、操作パネル１９などを備えている。以下では、プロジェクタ装置１を適宜「装置」とも称する。
【００１３】
ここで、ユーザは、操作パネル１９にて、プロジェクタ装置１が載置状態で用いられるときの投影モードである載置モード、及びプロジェクタ装置１が天吊り状態で用いられるときの投影モードである天吊りモードのいずれかを選択可能となっている。なお、載置モードが選択されたときは、画像が上下そのままの状態で投影され、天吊りモードが選択されたときは、画像が上下反転された状態で投影される。
【００１４】
ＣＰＵ１０は、装置全体を統括的に制御する。また、ＣＰＵ１０は、ユーザによる操作パネル１９を介してのキャリブレーション要求（キャリブレーションモードの実行）により、所定のキャリブレーションを行う。
【００１５】
ＣＰＵ１０は、プロジェクタ装置１が載置状態及び天吊り状態のいずれにあるか、すなわち操作パネル１９にて載置モード及び天吊りモードのいずれが選択されているかを検出する。
【００１６】
メモリ１２には、一例として、次の表１に示されるように、載置状態での装置周辺の複数（ここでは３つ）の照度範囲（例えば０〜３００、３００〜６００、６００〜９００）、及び各照度範囲に対応する適切なランプパワーの設定値（輝度設定値）、すなわちランプ１４に供給される電力の設定値（例えば２００Ｗ、２２０Ｗ、２５０Ｗ）を含むテーブルＡが予め格納されている。なお、「適切なランプパワー」とは、プロジェクタ装置１が設置される、照明灯が設けられた部屋の明るさ（例えばスクリーン５の周辺の照度）に応じたランプパワーを意味する。具体的には、上記照明灯の明るさは、例えば３段階（暗、中、明）で切り替え可能であり、上記載置状態での３つの照度範囲（例えば０〜３００、３００〜６００、６００〜９００）は、上記３段階の明るさ（暗、中、明）に個別に対応している。すなわち、このランプパワーは、上記部屋の明るさが明るいほど、大きく設定される。なお、本明細書中、照度の単位は、［ｌｘ］（ルクス）である。
【００１７】
【表１】
2015028516.tif 000003
【００１８】
なお、表１に示されるテーブルＡのデータは、プロジェクタ装置１の製造時にメモリ１２に格納された初期設定（デフォルト）のものであっても良いし、ユーザが実際にプロジェクタ装置１を用いてシミュレーションして得た結果を、メモリ１２に格納したものであっても良い。
【００１９】
照度センサ１８は、図２及び図３に示されるように、プロジェクタ装置１の天板に設けられており、ＣＰＵ１０からの要求に応じて、装置周辺の照度を測定する。なお、図１では、照度センサ１８の図示は、省略されている。
【００２０】
ＣＰＵ１０は、キャリブレーション実行時に、載置モードが選択されているときの照度センサ１８での測定結果（照度Ｘ（例えば６００ｌｘ））、及び天吊りモードが選択されているときの照度センサ１８での測定結果（照度Ｙ（例えば４００ｌｘ））を取得し、取得された照度Ｘ、Ｙをメモリ１２に保存し、保存された照度Ｘ、Ｙから補正係数（例えばＸ／Ｙ）を求め、求められた補正係数（例えば１．５）をメモリ１２に保存する。このように、照度センサ１８及びＣＰＵ１０を含んで、載置状態での照度及び天吊り状態での照度を取得する照度取得手段が構成されている。
【００２１】
そして、ＣＰＵ１０は、テーブルＡに含まれる載置状態での３つの照度範囲（例えば０〜３００、３００〜６００、６００〜９００）を補正係数（例えばＸ／Ｙ＝１．５）で除して得られたものを、該３つの照度範囲に対応する、天吊り状態での３つの照度範囲（例えば０〜２００、２００〜４００、４００〜６００）として、メモリ１２に保存する。この結果、次の表２に示されるように、載置状態及び天吊り状態それぞれにおける３つの照度範囲と、補正係数（例えばＸ／Ｙ）と、各照度範囲に対応するランプパワーの設定値とを含むテーブルＢがメモリ１２に格納されたことになる。
【００２２】
【表２】
2015028516.tif 000004
【００２３】
ここでは、一例として、キャリブレーション実行時に載置状態で得られた照度６００［ｌｘ］と、同じ部屋の明るさ（例えば３段階のうち明）の状態で天吊り状態で得られた照度４００［ｌｘ］とから６００／４００＝１．５という補正係数を導出し、その補正係数が部屋の明るさに関係なく、一定である場合の各状態での照度範囲とランプパワーの設定値との関係が表２に示されている。
【００２４】
キャリブレーション実行後、ＣＰＵ１０は、載置状態及び天吊り状態それぞれにされたときの、照度センサ１８からの測定結果（照度）が、メモリ１２に格納された各状態での３つの照度範囲のいずれに含まれるかによって、ランプパワーを設定し、設定結果（設定値）をランプ制御部１３に送る。このように、ＣＰＵ１０及びメモリ１２を含んで、照度Ｘ、Ｙに基づいてランプパワー（スクリーン５に投射される光の輝度）を設定するランプパワー設定手段（輝度設定手段）が構成されている。
【００２５】
画像データ入力部１５は、上記画像データ出力機器と接続され、該画像データ出力機器からの画像データを受信し、画像処理部１６に送る。
【００２６】
ランプ制御部１３は、ＣＰＵ１０からのランプ点灯要求に応じて、ＣＰＵ１０によって設定されたランプパワーの設定値でランプ１４を点灯させる。ランプ１４は、点灯時に画像処理部１６に向けて光を射出する。なお、ＣＰＵ１０は、例えば画像データ入力部１５で画像データが受信された以後、所定のタイミングでランプ制御部１３にランプ点灯要求を送る。
【００２７】
画像処理部１６は、光変調手段としての例えば液晶パネル又はデジタルマイクロミラーデバイス（ＤＭＤ）を有し、画像データ入力部１５からの画像データに応じて、ランプ１４からの光を変調し、投影光学系１７に送る。
【００２８】
投影光学系１７は、複数のレンズエレメントを含む投射レンズを有し、画像処理部１６からの光をスクリーン５の表面（被投射面）に拡大投影する。
【００２９】
以下に、上記キャリブレーションの手順を、図５のフローチャートを参照して説明する。このキャリブレーションは、プロジェクタ装置１が使用される、例えばＬＥＤ灯、蛍光灯、白熱灯等の照明灯が設けられた部屋（一室）で行われる。照明灯の明るさは、例えば３段階（暗、中、明）のうちいずれかに設定されている。なお、図５では、プロジェクタ装置１がＰＪとも表記されている。
【００３０】
最初のステップＳ１では、ユーザが、プロジェクタ装置１を例えば机Ｔ上に載置し、すなわち載置状態とし（図２参照）、操作パネル１９にて、載置モードが選択されていない場合、すなわち天吊りモードが選択されている場合には、載置モードを選択する。なお、初期設定（デフォルト）では、一例として載置モードが選択されているものとする。
【００３１】
次のステップＳ３では、ユーザが、操作パネル１９にてキャリブレーションモードを実行する。
【００３２】
次のステップＳ５では、プロジェクタ装置１がキャリブレーションモードに遷移する。
【００３３】
次のステップＳ７では、プロジェクタ装置１は、照度センサ１８を用いて載置状態での照度Ｘを取得し、メモリ１２に保存する。この際、照度センサ１８は、照明灯の光照射範囲内に位置し、主に照明灯からの直接光による照度を測定する（図２参照）。
【００３４】
次のステップＳ９では、ユーザがプロジェクタ装置１を天吊り状態とする（図３参照）。
【００３５】
次のステップＳ１１では、ユーザが操作パネル１９にて天吊りモードを選択する。
【００３６】
次のステップＳ１３では、プロジェクタ装置１は、照度センサ１８を用いて天吊り状態での照度Ｙを取得し、メモリ１２に保存する。この際、照度センサ１８は、照明灯の光照射範囲外に位置し、主に照明光の壁面、机Ｔの上面及び床面からの反射光（照明灯からの間接光）による照度を測定する。
【００３７】
ここで、照度Ｘ、Ｙは、部屋の明るさ（照明灯の明るさ）、すなわちスクリーン５の周辺の照度（照明灯からの直接光による照度）が互いに等しい状態で取得される。具体的には、照度Ｘ、Ｙの取得時において、例えば照明灯の明るさ設定を変えずに（等しくし）、部屋の明るさを等しくする。
【００３８】
上述の説明から分かるように、照度センサ１８での測定結果は、スクリーン５の周辺の照度が互いに等しい条件下で取得されたとしても、載置状態の場合（照度Ｘ）と天吊り状態の場合（照度Ｙ）とで異なる。なお、載置状態での測定結果（照明灯からの直接光による照度）は、天吊り状態での測定結果（照明灯からの間接光による照度）に比べて、スクリーン５の周辺の照度に近似すると考えられる。
【００３９】
次のステップＳ１５では、プロジェクタ装置１が、メモリ１２に保存された照度Ｘ、Ｙの比であるＸ／Ｙ（補正係数）を求め、求められた補正係数をメモリ１２に保存する。
【００４０】
次のステップＳ１７では、プロジェクタ装置１が、メモリ１２に保存されたテーブルＡに含まれる載置状態での３つの照度範囲（ここでは０〜３００、３００〜６００、６００〜９００）を、求められた補正係数Ｘ／Ｙ（ここでは１．５）で除して得られたものを、該３つの照度範囲に対応する、天吊り状態での３つの照度範囲（ここでは０〜２００、２００〜４００、４００〜６００）としてメモリ１２に格納する。
【００４１】
以上のような手順で行われたキャリブレーションにより、表２に示されるテーブルＢがメモリ１２に格納される。
【００４２】
次に、上記キャリブレーション実行後におけるプロジェクタ装置１の制御について図６を参照して説明する。図６のフローチャートは、ＣＰＵ１０の処理アルゴリズムに基づいている。照明灯の明るさは、例えば３段階（暗、中、明）のうちいずれかに設定されている。
【００４３】
最初のステップＳ２１では、プロジェクタ装置１が載置状態にあるか否かを判断する。ステップＳ２１での判断が肯定されると、ステップＳ２３に移行する。一方、ステップＳ２１での判断が否定されると、ステップＳ２９に移行する。
【００４４】
ステップＳ２３では、照度センサ１８を用いて載置状態での照度Ｗ１を取得する。
【００４５】
次のステップＳ２５では、テーブルＢを参照して、照度Ｗ１に対応するランプパワーＰ１を取得する。詳述すると、ランプパワーＰ１は、テーブルＢにおける載置状態での３つの照度範囲（ここでは０〜３００、３００〜６００、６００〜９００）のうち照度Ｗ１が含まれる照度範囲に対応するランプパワーの設定値である（表２参照）。
【００４６】
次のステップＳ２７では、ランプパワーをＰ１に設定し、設定結果（Ｐ１）をランプ制御部１３に送る。ステップＳ２７が実行されると、フローは、終了する。
【００４７】
ステップＳ２９では、照度センサ１８を用いて天吊り状態での照度Ｗ２を取得する。
【００４８】
次のステップＳ３１では、テーブルＢを参照して、照度Ｗ２に対応するランプパワーＰ２を取得する。詳述すると、ランプパワーＰ２は、テーブルＢにおける天吊り状態での３つの照度範囲（ここでは０〜２００、２００〜４００、４００〜６００）のうち照度Ｗ２が含まれる照度範囲に対応するランプパワーの設定値である（表２参照）。
【００４９】
次のステップＳ３３では、ランプパワーをＰ２に設定し、設定結果（Ｐ２）をランプ制御部１３に送る。ステップＳ３３が実行されると、フローは、終了する。
【００５０】
そして、ステップＳ２７又はステップＳ３３が実行された後、ＣＰＵ１０からのランプ点灯要求により、ランプ制御部１３が、ランプ１４を、設定されたランプパワーＰ１又はＰ２で点灯させる。
【００５１】
以上説明した本実施形態のプロジェクタ装置１は、載置状態（例えば第１の状態）にされたときの周辺の照度である照度Ｘ（第１の照度）、及び天吊り状態（例えば第１の状態とは上下逆の状態である第２の状態）にされたときの周辺の照度である照度Ｙ（第２の照度）を取得する照度取得手段と、天吊り状態で用いられるとき、取得された照度Ｘ、Ｙ（第１及び第２の照度）に基づいてランプパワー（被投射面としての、スクリーン５の表面に投射される光の輝度）を設定するランプパワー設定手段（輝度設定手段）と、を備えている。
【００５２】
この場合、天吊り状態で用いられるとき、照度Ｘ、Ｙの関係を考慮してランプパワーを設定できる。
【００５３】
すなわち、天吊り状態で用いられるとき、装置周辺の照度（スクリーン５の周辺の照度）に関わらず、ランプパワーをスクリーン５の周辺の照度に近似する照度Ｘを基準とした適切な値に設定できる。
【００５４】
また、例えば、載置状態で用いられるとき、照度Ｘに基づいてランプパワーをスクリーン５の周辺の照度に応じた適切な値に設定できる。
【００５５】
結果として、載置状態及び天吊り状態のいずれでも、ランプパワーをスクリーン５の周辺の照度（部屋の明るさ）に応じた適切な値に設定できる。
【００５６】
すなわち、プロジェクタ装置１では、載置状態及び天吊り状態のいずれでも被投射面（スクリーン５の表面）に投射される光の輝度を適切に調整できる。
【００５７】
一方、仮に、天吊り状態で用いられるとき、照度Ｘ、Ｙの関係を考慮しないと（例えば照度Ｙのみに基づくと）、ランプパワーをスクリーン５の周辺の照度に応じた適切な値に設定することはできない。
【００５８】
すなわち、照度センサ等で周辺の照度を測定し、その測定結果のみに応じて自動的にランプパワーを調整する従来のプロジェクタでは、部屋の明るさが一定でも、載置状態と天吊り状態とで測定結果が異なるため、載置状態又は天吊り状態でランプパワーを部屋の明るさに応じた適切な値に設定できず、載置状態と天吊り状態との間で状態が移行されたとき、その度、ユーザが、操作パネルにて手動でランプパワーを適切な値に設定する必要があった。
【００５９】
また、照度Ｘ、Ｙは、スクリーン５の表面の周辺の照度が一定の条件下で取得されるため、プロジェクタ装置１が用いられる状態（載置状態、天吊り状態）の違いのみを反映する照度Ｘ、Ｙ（照度Ｘ、Ｙの関係）を取得することができる。この結果、載置状態及び天吊り状態のいずれであっても、ランプパワーを安定して精度良く調整できる。
【００６０】
また、輝度設定手段は、天吊り状態で用いられるとき、載置状態で用いられるときに使用されるランプパワーの設定値に基づいてランプパワーを設定しているため、天吊り状態で用いられるときに使用されるランプパワーの設定値を取得する必要がない。
【００６１】
また、前記ランプパワーの設定値は、スクリーン５の表面の周辺の照度（明るさ）に応じた値に設定されているため、スクリーン５に視認性が良い輝度（明るさ）の光を投射（画像を投影）できる。
【００６２】
また、輝度設定手段は、載置状態での３つの照度範囲と、該３つの照度範囲に個別に対応する複数のランプパワーの設定値と、照度Ｘ、Ｙの比（Ｘ／Ｙ）と、載置状態での複数の照度範囲をＸ／Ｙで除して得られたものとを含むテーブルＢを有し、天吊り状態で用いられるとき、照度取得手段は、天吊り状態での照度を再び取得し、輝度設定手段は、再び取得された天吊り状態での照度とテーブルＢとに基づいて、前記光の輝度を設定する。
【００６３】
この場合、載置状態にされたとき、周辺の照度Ｗ１を取得し、テーブルＢに含まれる載置状態での３つの照度範囲と該３つの照度範囲に個別に対応する３つのランプパワーの設定値とを参照することで、照度Ｗ１に応じた適切なランプパワーの設定値を取得できる。また、天吊り状態にされたとき、周辺の照度Ｗ２を取得し、載置状態での複数の照度範囲に個別に対応するランプパワーの設定値と、載置状態での複数の照度範囲に対応する天吊り状態での複数の照度範囲（載置状態での複数の照度範囲をＸ／Ｙで除して得られたもの）を参照することで、照度Ｗ２に応じた適切なランプパワーの設定値を取得できる。
【００６４】
結果として、プロジェクタ装置１は、載置状態及び天吊り状態のいずれにされても、その度、ランプパワーを適切な値に自動的に設定できる。この場合、ランプパワーを過不足なく調整できるため、省電力化を図ることができる。
【００６５】
なお、天井面、壁面及び床面の色や材質（光の反射率）は、部屋によって違うため、プロジェクタ装置１が使用される部屋毎にキャリブレーションを実行することが好ましい。
【００６６】
また、図５に示されるキャリブレーションは、必ずしも実行されなくても良い。例えば、プロジェクタ装置１を載置状態で用いる際に、プロジェクタ装置１の起動後に載置状態での照度を保存しておく。そして、プロジェクタ装置１を天吊り状態で用いる際に、取得した天吊り状態での照度と、予め保存された載置状態での照度とから補正係数を求め、該補正係数を用いてランプパワーを自動的に調整することも可能である。
【００６７】
また、上記実施形態では、キャリブレーションの際に、載置モード及び天吊りモードのいずれが選択されているかによってプロジェクタ装置１が照度Ｘ、Ｙを自動的に取得しているが（図５のステップＳ７、ステップＳ１３）、例えば図７及び図８に示される変形例のようにユーザが操作パネル１９にて照度Ｘ、Ｙの取得を指示し（ステップＳ４７、ステップＳ５３）、その指示に応じてプロジェクタ装置１が照度Ｘ、Ｙを取得しても良い（ステップＳ４９、ステップＳ５５）。なお、図７のフローチャートには、図５のステップＳ１７に相当するステップがない。すなわち、この変形例では、天吊り状態での３つの照度範囲を取得しない。
【００６８】
詳述すると、この変形例では、図８に示されるように、天吊り状態で取得された照度Ｗ２に補正係数Ｘ／Ｙ（例えば１．５）を乗じて載置状態での照度Ｗ１´に換算し（ステップＳ７１）、載置状態での３つの照度範囲（例えば０〜３００、３００〜６００、６００〜９００）のうちＷ１´が含まれる照度範囲に対応するランプパワーの設定値にランプパワーを設定することとしている（ステップＳ７３、ステップＳ７５）。ここでは、テーブルＢには、載置状態での３つの照度範囲と、該３つの照度範囲に対応する３つのランプパワーの設定値と、補正係数Ｘ／Ｙが含まれている。すなわち、テーブルＢには、天吊り状態での３つの照度範囲は含まれていない。
【００６９】
逆に、上記実施形態のように天吊り状態での３つの照度範囲がテーブルＢに含まれている場合には、補正係数Ｘ／Ｙ（例えば１．５）は、テーブルＢに含まれていなくても良い。
【００７０】
また、プロジェクタ装置に、天地判別用のセンサを設けても良い。この場合、キャリブレーションの際に、プロジェクタ装置は、天地判別用のセンサを用いて、載置状態にあるか又は天吊り状態にあるかを判定できるため、ユーザが操作パネル１９にて載置モード又は天吊りモードを選択する必要がない。
【００７１】
また、上記実施形態では、照度センサ１８での測定結果（照度Ｘ、Ｙ）に基づいて、ランプパワーを調整しているが、これに代えて又は加えて、例えば、画像処理部１６において、上記画像データ出力機器からの画像データの輝度レベルを調整しても良い。具体的には、測定結果（照度Ｘ、Ｙ）が大きいほど、画像データを構成する各画素の白レベルを大きくして又は黒レベルを小さくして投影画像を明るくすると良い。逆に言うと、測定結果（照度Ｘ、Ｙ）が小さいほど、画像データを構成する各画素の白レベルを小さくして又は黒レベルを大きくして投影画像を暗くすると良い。この場合、輝度設定値としての輝度レベルの設定値をランプパワーの設定値と同様にメモリ１２に予め格納しておいても良い。
【００７２】
また、上記実施形態では、プロジェクタ装置が天吊り状態で用いられるとき、照度Ｘ、Ｙに基づいてランプパワーが設定されているが、これに代えて、プロジェクタ装置が載置状態で用いられるとき、照度Ｘ、Ｙに基づいてランプパワーを設定しても良い。すなわち、上記実施形態において、載置状態での制御と天吊り状態での制御を入れ替えても良い。詳述すると、天吊り状態で用いられるときに使用されるランプパワーの設定値を予め取得しておき、該設定値に基づいてランプパワーを設定しても良い。この設定値は、スクリーン５の周辺の照度に応じた値に設定されることが好ましい。また、天吊り状態での複数の照度範囲と、該複数の照度範囲に個別に対応する複数のランプパワーの設定値と、照度Ｘ、Ｙの比（Ｘ／Ｙ）と天吊り状態での複数の照度範囲に対応する載置状態での複数の照度範囲（天吊り状態での複数の照度範囲にＸ／Ｙを乗じて得られるもの）との少なくとも一方と、を含むテーブルをメモリ１２に格納しても良い。
【００７３】
また、上記実施形態では、照度Ｘ、Ｙの比としてＸ／Ｙ（例えば３／２）を用いているが、Ｘ／Ｙの逆数であるＹ／Ｘ（例えば２／３）を用いても良い。この場合、載置状態での複数（例えば３つ）の照度範囲にＹ／Ｘを乗じることで、天吊り状態での複数（例えば３つ）の照度範囲を得ることができる。また、天吊り状態での照度をＹ／Ｘで除すことで、載置状態での照度に換算できる。
【００７４】
また、上記実施形態では、プロジェクタ装置１が設置される部屋の明るさ（照明灯の明るさ）、載置状態での照度範囲の数、天吊り状態での照度範囲の数及びランプパワーの設定値の数は、それぞれ、３つとされているが、これに限らず、例えば、１つ、２つ又は４つ以上とされても良い。
【００７５】
また、上記実施形態及び上記変形例の説明に用いられた数値は、一例であって、これらに限定されるものではない。
【００７６】
また、上記実施形態では、プロジェクタ装置１は、載置状態及び天吊り状態で用いられるが、これらに加えて又は天吊り状態に代えて、載置状態とは上下逆の状態である壁掛け状態で用いられても良い。「壁掛け状態」とは、例えば壁等の建物の構造物に、直接又は間接的に（例えば取り付け用の固定具を介して）、載置状態とは上下逆さまの状態で取り付けられた状態（倒置状態）を意味する。なお、プロジェクタ装置１が壁掛け状態にされたときは、上述した天吊り状態の場合と同様な方法で使用及び制御すれば良い。
【符号の説明】
【００７７】
１…プロジェクタ装置（光投射装置）、１０…ＣＰＵ（照度取得手段の一部、輝度設定手段の一部）、１２…メモリ（輝度設定手段の一部）、１８…照度センサ（照度取得手段の一部）。
【先行技術文献】
【特許文献】
【００７８】
【特許文献１】特許第４１７９２９８号公報
【図１】
2015028516.tif 000005
【図４】
2015028516.tif 000006
【図５】
2015028516.tif 000007
【図６】
2015028516.tif 000008
【図７】
2015028516.tif 000009
【図８】
2015028516.tif 000010
【図２】
2015028516.tif 000011
【図３】
2015028516.tif 000012